(57)【特許請求の範囲】
【請求項１】
開口部を持つ密閉型のガス貯蔵容器に装着されるフィルター装置であって、
前記ガス貯蔵容器の開口部に気密に組立可能な係止部を持つフィルターケースと、
前記フィルターケースの内側又は外側に装着された状態で前記ガス貯蔵容器の内部に強制的に挿入される異物除去用フィルター本体と、を含み、
前記フィルターケースは、前記係止部と一体に連結されるように形成され、外径が減少するテーパー構造の折畳部を持ち、該折畳部の最大外径が前記開口部の最小内径よりも大きく形成されることにより、前記係止部が前記開口部内に締まりばめで装着可能になることを特徴とするガス貯蔵容器のフィルター装置。
【請求項２】
前記フィルターケースには、前記フィルターケースを通過するガス燃料の流動のための複数の通孔が形成されたことを特徴とする請求項１に記載のガス貯蔵容器のフィルター装置。
【請求項３】
前記折畳部は、前記フィルターケースが前記ガス貯蔵容器内に強制的に挿入されるときに折畳可能になることを特徴とする請求項１に記載のガス貯蔵容器のフィルター装置。
【請求項４】
前記折畳部は、前記フィルターケースが前記ガス貯蔵容器内に強制的に挿入されるときに折畳可能なラバー素材からなることを特徴とする請求項１に記載のガス貯蔵容器のフィルター装置。
【請求項５】
前記ガス貯蔵容器は、前記フィルターケースの係止部が挿着された開口部に多機能バルブの連結部が前記係止部に近接して位置するように組み立てられることによって、前記係止部が前記開口部から抜け出ることが防止されることを特徴とする請求項１に記載のガス貯蔵容器のフィルター装置。
【請求項６】
開口部を持つ密閉型のガス貯蔵容器に装着されるフィルター装置であって、
前記開口部に気密に組立可能な係止部を持つ固定リングと、
前記固定リングに一体に連結され、前記ガス貯蔵容器内に強制的に挿入される異物除去用メッシュ網と、を含み、
前記固定リングは、前記係止部と一体に連結されるように形成され、外径が減少するテーパー構造の折畳部を持ち、該折畳部の最大外径が前記開口部の最小内径よりも大きく形成されることにより、前記係止部が前記開口部内に締まりばめで装着可能になることを特徴とするガス貯蔵容器のフィルター装置。
【請求項７】
前記ガス貯蔵容器は、前記固定リングが挿着された開口部に多機能バルブの連結部が前記固定リングに近接して位置するように組み立てられることで、前記固定リングが前記開口部から抜け出るのを防止することを特徴とする請求項６に記載のガス貯蔵容器のフィルター装置。
【請求項８】
開口部を持つ密閉型のガス貯蔵容器に装着されるフィルター装置であって、
前記ガス貯蔵容器の開口部に気密に組み立てられる係止部を持つ中空状のアウターボディーと、
前記アウターボディーの内側に直線移動可能に組み立てられる中空状のインナーボディーと、
前記アウターボディーの端部と前記インナーボディーの端部との間に気密に装着される異物除去用メッシュ網と、
を含んでなることを特徴とするガス貯蔵容器のフィルター装置。
【請求項９】
前記インナーボディーには、前記メッシュ網を通過したガス燃料が通過することができる複数の貫通孔が形成されたことを特徴とする請求項８に記載のガス貯蔵容器のフィルター装置。
【請求項１０】
前記アウターボディーとインナーボディーとの間には、前記アウターボディーの一側に突出するように強制的に移動されたインナーボディーを復帰させるための弾性部材が取り付けられることを特徴とする請求項８に記載のガス貯蔵容器のフィルター装置。
【請求項１１】
前記アウターボディーとインナーボディーとの間には前記メッシュ網の内側に位置するサポートリンクが取り付けられ、該サポートリンクは、前記アウターボディーの一側に突出するように強制的に移動されたインナーボディーが復帰する際に、前記メッシュ網が広がるように折り曲げられることを特徴とする請求項８に記載のガス貯蔵容器のフィルター装置。
【請求項１２】
開口部を持つ密閉型のガス貯蔵容器に装着されるフィルター装置の設置方法であって、
前記開口部に気密に組み立てられる係止部を持つアウターボディーと該アウターボディーの内側に直線移動可能に組み立てられたインナーボディーとの間に、前記インナーボディーの復帰のための弾性部材が取り付けられたガスフィルターを用意する第１過程と、
前記弾性部材を強制的に伸張させながら、前記アウターボディーの一側に突出するように移動させたインナーボディーを前記開口部内に挿入する第２過程と、
前記インナーボディーを前記開口部を通過して前記ガス貯蔵容器の内側に位置させるとともに、前記アウターボディーの端部とインナーボディーの端部との間に気密に付着された異物除去用メッシュ網を広げる第３過程と、
前記アウターボディーの係止部が前記開口部に気密に定着されるまで前記アウターボディーを前記ガス貯蔵容器内に強制的に挿入する第４過程と、
を含むことを特徴とするガス貯蔵容器のフィルター装置の設置方法。
【請求項１３】
前記第３過程は、前記アウターボディーとインナーボディーとの間に装着されて前記メッシュ網の内側に折畳可能に形成されたサポートリンクを前記開口部を通過させて前記ガス貯蔵容器の内側に位置させると共に、前記弾性部材の復元力によって折り曲げられながら前記メッシュ網を広げる過程であることを特徴とする請求項１２に記載のガス貯蔵容器のフィルター装置の設置方法。
【請求項１４】
前記係止部に近接して位置するように多機能バルブの連結部を前記開口部に組み立てることで、前記ガスフィルターを前記ガス貯蔵容器内に挿入された状態に固定する過程を更に含むことを特徴とする請求項１２に記載のガス貯蔵容器のフィルター装置の設置方法。
【請求項１５】
前記第２過程で、前記開口部内に前記インナーボディーを挿入する前に、前記ガス貯蔵容器内部にガス燃料を加圧して貯蔵した吸着剤を充填することを特徴とする請求項１２に記載のガス貯蔵容器のフィルター装置の設置方法。
【発明の詳細な説明】
【技術分野】
【０００１】
本発明はガス貯蔵容器のフィルター装置及びその設置方法に係り、より詳しくは、ガス貯蔵容器のガスに混合した異物を除去するためのガス貯蔵容器のフィルター装置及びその設置方法に関する。
【背景技術】
【０００２】
天然ガスを燃料として使用する天然ガス自動車は、初期には、主に過剰に生産された天然ガスの消費を目指したが、近年は、自動車による大気汚染対策のため、特に大型軽油自動車の排出ガスを根本的に解決することができる手段として普及している。
【０００３】
天然ガス自動車は、大別して圧縮天然ガス（ＣＮＧ）自動車、液化天然ガス（ＬＮＧ）自動車、及び吸着式天然ガス（ＡＮＧ）自動車などがある。
【０００４】
その中で、吸着式天然ガス（ＡＮＧ）自動車は、活性炭などの吸着剤に天然ガスを加圧して貯蔵し、天然ガスを貯蔵した吸着剤をガス貯蔵容器に貯蔵して使用する。
【０００５】
ところが、吸着剤を貯蔵したガス貯蔵容器を車両に装着して運行する条件では、吸着剤が壊れることがあり、これによってガス貯蔵容器からエンジンまで天然ガスを供給する経路でエンジンインジェクター及び各種の機能部品が詰まるという問題が発生することがある。
【０００６】
このような問題を改善するために、従来は、ガス貯蔵容器の後端と、ガス貯蔵容器の後端に装着される多機能バルブと、の間に異物除去のためのガスフィルターを装着した。
しかし、このようにガス貯蔵容器の後端に外装型ガスフィルターを装着する場合、異物から多機能バルブ及びエンジンインジェクターなどを保護することはできるが、ガスフィルターのサイズが大きな空間を占めるため、ガス貯蔵容器の容量が縮小されるのを避けることができないという欠点があった。
【先行技術文献】
【特許文献】
【０００７】
【特許文献１】特表第２００９−５３５５８６号公報
【発明の概要】
【発明が解決しようとする課題】
【０００８】
本発明は、上記のような問題点を解決するために成されたものであって、ガス貯蔵容器内に一体に装着され、従来の外装型ガスフィルターに比べてガス貯蔵容器の容量を増大させて確保することができ、且つガスを大量に使うことができるガス貯蔵容器用のフィルター装置及びその設置方法を提供することにその目的がある。
【課題を解決するための手段】
【０００９】
従って、本発明は、開口部を持つ密閉型のガス貯蔵容器に装着されるフィルター装置であって、ガス貯蔵容器の開口部に気密に設置可能な係止部を持つフィルターケースと、該フィルターケースの内側又は外側に装着された状態でガス貯蔵容器の内部に強制的に挿入される異物除去用フィルター本体と、を含んでなるガス貯蔵容器のフィルター装置を提供することを特徴とする。
【００１０】
本発明の実施例によると、フィルターケースは、係止部に一体に連結されるように形成され、外径が減少するテーパー構造の折畳部を持ち、折畳部の最大外径を開口部の最小内径より大きく形成することにより、係止部を開口部内に締まりばめによって装着することができる。
【００１１】
本発明の実施例によると、フィルターケースには、フィルターケースを通過するガス燃料を流通させるための複数の通孔が形成される。
【００１２】
本発明の実施例によると、折畳部は、フィルターケースがガス貯蔵容器内に強制的に挿入されるときに折畳可能なラバー素材から成ることができる。
【００１３】
本発明の実施例によるガス貯蔵容器は、フィルターケースの係止部が挿入された開口部に、多機能バルブと−−が係止部と近接するように組み立てることで、係止部が開口部から抜け出るのを防止することができる。
【００１４】
また、本発明は、開口部を有する密閉型のガス貯蔵容器に装着されるフィルター装置の設置方法であって、ガス貯蔵容器内部にガス燃料を加圧して貯蔵した吸着剤を充填する過程と、開口部に気密に組み立てられる固定リングに一体に連結された異物除去用メッシュ網をガス貯蔵容器内に強制的に挿入してガス貯蔵容器内に充填された吸着剤を圧縮する過程と、固定リングが開口部に挿着されるまで、メッシュ網をガス貯蔵容器内に強制的に挿入する過程と、を含むことを特徴とするガス貯蔵容器のフィルター装置の設置方法を提供する。
【００１５】
前記ガス貯蔵容器は、固定リングが挿着された開口部に、多機能バルブの連結部が固定リングに近接して位置するように挿入され固定されることで、固定リングが開口部から抜け出ることを防止するようになる。
【００１６】
また、本発明は、開口部を持つ密閉型のガス貯蔵容器に装着されるフィルター装置であって、開口部に気密に挿着される係止部を持つ中空型のアウターボディーと、アウターボディーの内側に直線移動可能に組み立てられる中空型のインナーボディーと、アウターボディーの端部とインナーボディーの端部との間に気密に装着される異物除去用メッシュ網と、を含んでなることを特徴とするガス貯蔵容器のフィルター装置を提供する。
【００１７】
本発明の実施例によると、インナーボディーには、メッシュ網を通過したガス燃料が通過することができる複数の貫通孔が形成され、またアウターボディーとインナーボディーとの間には、アウターボディーの一側に突出するように強制的に移動されたインナーボディーを復帰させるための弾性部材を取り付けることができる。
【００１８】
また、本発明の実施例によると、アウターボディーとインナーボディーとの間には、メッシュ網の内側に位置するサポートリンクを取り付けることができる。サポートリンクは、アウターボディーの一側に突出するように強制的に伸張・移動されたインナーボディーが復帰する際に、メッシュ網が広がるように折り曲げられることができる。
【００１９】
また、本発明は、開口部を持つ密閉型のガス貯蔵容器に装着されるフィルター装置の設置方法であって、開口部に気密に組み立てられる係止部を持つアウターボディー及びアウターボディーの内側に直線移動可能に組み立てられたインナーボディーの間に、インナーボディーの復帰のための弾性部材が取り付けられたガスフィルターを準備する第１過程と、弾性部材を強制的に伸張させながらアウターボディーの一側に突出するように移動させたインナーボディーを開口部内に挿入する第２過程と、インナーボディーを、開口部を通過させてガス貯蔵容器の内側に位置させるとともに、アウターボディーの端部とインナーボディーの端部との間に気密に付着された異物除去用メッシュ網を広げる第３過程と、アウターボディーの係止部が開口部に気密に定着されるまでアウターボディーをガス貯蔵容器内に強制的に挿入する第４過程と、を含むことを特徴とするガス貯蔵容器のフィルター装置の設置方法を提供する。
【００２０】
前記第３過程は、アウターボディーとインナーボディーとの間に装着されてメッシュ網の内側に折畳可能に形成されたサポートリンクを、開口部を通過してガス貯蔵容器の内側に位置させるとともに、弾性部材の復元力によって折り曲げられながらメッシュ網を広げることを特徴とする。
【００２１】
前記本発明の設置方法によると、ガスフィルターは、フィルターケースの係止部がガス貯蔵容器の開口部に気密に組み立てられるまでガス貯蔵容器内に強制的に挿入することができ、係止部に近接して位置するように多機能バルブの連結部を開口部に組み立てることで、ガスフィルターがガス貯蔵容器内に挿入された状態で固定することができる。
【００２２】
また本発明は、第２過程で開口部内にインナーボディーを挿入する前に、ガス貯蔵容器内部にガス燃料を加圧して貯蔵した吸着剤を充填することを特徴とする。
【発明の効果】
【００２３】
本発明によれば、異物除去のためのガスフィルターをガス貯蔵容器内に一体に装着することによって、従来の外装型ガスフィルターに比べてガス貯蔵容器の容量を増大して確保することができ、またガスフィルターを大容量にすることができる。
【図面の簡単な説明】
【００２４】
【図１】本発明の第１実施例によるフィルター装置を設置したガス貯蔵容器を示した図である。
【図２】本発明の第１実施例によるフィルター装置を示した図である。
【図３】本発明の第２実施例によるフィルター装置を示した図である。
【図４】本発明の第１実施例によるフィルター装置をガス貯蔵容器に設置する過程を示す図である。
【図５】本発明の第３実施例によるフィルター装置を示した図である。
【図６】本発明の第４実施例によるフィルター装置を示した図である。
【図７】本発明の第３実施例によるフィルター装置をガス貯蔵容器に設置する過程を示した図である。
【図８】本発明の第５実施例によるフィルター装置を示した図である。
【図９】本発明の第５実施例によるフィルター装置をガス貯蔵容器に設置する過程を示した図である。
【図１０】本発明の第６実施例によるフィルター装置を示した切開斜視図である。
【図１１】図１０のフィルター装置が強制的に伸張された状態を示した切開斜視図である。
【図１２】本発明の第６実施例によるフィルター装置をガス貯蔵容器に設置する過程を示す図である。
【図１３】本発明の第６実施例によるフィルター装置をガス貯蔵容器に設置する過程を示す図である。
【図１４】本発明の第６実施例によるフィルター装置をガス貯蔵容器に設置する過程を示す図である。
【図１５】本発明の第６実施例によるフィルター装置をガス貯蔵容器に設置する過程を示す図である。
【図１６】本発明の第６実施例によるフィルター装置の使用形態を示した例示図である。
【発明を実施するための形態】
【００２５】
以下、添付図面に基づいて本発明の好適な実施例を詳細に説明する。
【００２６】
図１に示すように、本発明は、天然ガス（ガス燃料）を加圧して貯蔵した吸着剤を貯蔵するガス貯蔵容器１００内に異物除去のためのガスフィルター２００を一体化して装着することで、従来例に比べてガス貯蔵容器１００の容量及びガスフィルターのサイズを増大させることができる。
【００２７】
本発明によるフィルター装置は、ガス貯蔵容器１００に出入する天然ガスが流通するための開口部１１０に装着される形で、ガス貯蔵容器１００の内部に取り付けられる。
【００２８】
先ず、図２〜図４に基づいて本発明の第１実施例及び第２実施例によるフィルター装置（ガスフィルター）を詳細に説明する。
【００２９】
図２は、本発明の第１実施例によるフィルター装置を示した図である。
図２に示すように、本発明の第１実施例によるガスフィルター２００は、フィルターケース２１０と、このフィルターケース２１０の内側に挿着されるフィルター本体２２０と、からなる。
【００３０】
図４は、本発明の第１実施例によるフィルター装置をガス貯蔵容器に設置する過程を示す図である。
図４に示すように、フィルターケース２１０は、一端にガス貯蔵容器１００の開口部１１０に係止されるように気密に組み立てられる係止部２１２を有し、開口部１１０には係止部２１２を装着支持するための段差部１１２が形成されている。
【００３１】
また、フィルターケース２１０は、係止部２１２に一体に連結されるように形成され、外径が減少するテーパー（傾き）構造の折畳部２１４を持ち、折畳部２１４の最大外径（係止部に連結される部分の外径）が開口部１１０の最小内径より大きく形成され、係止部２１２が開口部１１０内に締まりばめされて固定されるようにすることが好ましい。
【００３２】
また、フィルターケース２１０には、フィルターケース２１０を通過する天然ガスの流動のための複数の通孔２１６が形成される。
【００３３】
フィルター本体２２０は、ガスに含まれた異物を除去するための濾過網などであることができ、フィルターケース２１０の内側に装着されたままでガス貯蔵容器１００の内部に強制的に挿入されて、ガス貯蔵容器１００内に充填された吸着剤を圧縮する。
【００３４】
図３は、本発明の第２実施例によるフィルター装置を示した図である。
図３に示すように、本発明の第２実施例によるガスフィルター３００は、フィルター本体３２０がフィルターケース３１０の外側に装着される点を除き、第１実施例によるガスフィルター２００と同様な構成及び構造を持つ。
【００３５】
図４に示すように、前記のガスフィルター２００が装着されたガス貯蔵容器１００は、フィルターケース２１０の係止部２１２が挿着された開口部１１０に多機能バルブの連結部１３０が螺合方式で組み立てられて、係止部２１２に近接して位置することにより、係止部２１２が開口部１１０から抜け出る（離脱する）のを防止し、係止部２１２を開口部１１０に固定支持する。
【００３６】
ここで、前記のように構成されるガスフィルター２００の設置方法を図４に基づいて説明すれば次のようである。
【００３７】
図４に示すように、先ずガスフィルター２００の一部（係止部の反対側一部）のみがガス貯蔵容器１００内に挿入された状態でガス貯蔵容器１００に仮組立した後、ガスフィルター２００とガス貯蔵容器１００の開口部１１０の間に吸着剤を挿入／投入することでガス貯蔵容器１００内に吸着剤を充填する。
【００３８】
次いで、ガス貯蔵容器１００内に一部のみが挿入されたガスフィルター２００を、係止部２１２が開口部１１０の段差部１１２にかかるまで、ガス貯蔵容器１００内に強制的に挿入することで、ガス貯蔵容器１００内に充填された吸着剤を圧縮する。吸着剤が充填されたガス貯蔵容器１００内にガスフィルター２００を強制的に挿入する過程で吸着剤が互いに密着して圧縮される。
【００３９】
この際、ガスフィルター２００は、フィルターケース２１０の係止部２１２が開口部１１０の段差部１１２に定着するように開口部１１０に気密に組み立てられるまでガス貯蔵容器１００内に強制的に挿入される。
【００４０】
そして、開口部１１０の端部に多機能バルブの連結部１３０を螺合方式で組み立て、連結部１３０が係止部２１２に近接して位置することで、ガスフィルター２００がガス貯蔵容器１００内に挿入された状態で固定支持される。
【００４１】
次に、添付の図５及び図６を参照して本発明の第３実施例及び第４実施例によるフィルター装置（ガスフィルター）について説明する。
【００４２】
図５は、本発明の第３実施例によるフィルター装置を示した図である。
先ず、図５（ａ）及び（ｂ）に示すように、本発明の第３実施例によるガスフィルター４００は、折畳可能な特性の折畳部４１４を有すること除き、前述した第１実施例のガスフィルター２００と同様な構成及び構造を持つ。
【００４３】
即ち、ガスフィルター４００は、フィルターケース４１０とフィルターケース４１０の内側に挿着されたフィルター本体４２０とからなり、フィルターケース４１０は、開口部１１０の段差部１１２に係止されて定着される係止部４１２と、係止部４１２と一体に連結されるように形成され、外径が減少するテーパー構造の折畳部４１４と、を有する。
【００４４】
図５（ｃ）に示すように折畳部４１４は、フィルター本体４２０を内蔵したフィルターケース４１０が、ガス貯蔵容器１００内に強制的に挿入されるとき、折曲及び折畳可能な構造又は素材で形成され、例えば柔軟に折畳可能なラバー素材からなることができる。
【００４５】
この際、フィルタケース４１０は折畳部４１４と折畳部４１４を除いた残りの部位とが異種素材から射出成形される。
【００４６】
図６は、本発明の第４実施例によるフィルター装置を示した図である。
そして、図６（ａ）及び（ｂ）に示すように、本発明の第４実施例によるガスフィルター５００は、フィルター本体５２０がフィルターケース５１０の外側に装着された点を除き、前記第３実施例によるガスフィルター４００と同様な構成及び構造を持つ。
【００４７】
また、第３実施例及び第４実施例によるガスフィルター４００、５００は、前述したガスフィルター２００の設置方法と同様な過程でガス貯蔵容器１００内に設置可能である。
図７は、本発明の第３実施例によるフィルター装置をガス貯蔵容器に設置する過程を示した図である。
図７に示すように、仮組立された状態のガスフィルター４００が、ガス貯蔵容器１００内に強制的に挿入されるとき（即ち、ガス貯蔵容器内に吸着剤が充填された後にガスフィルターが強制的に組み立てられるとき）折畳部４１４が折り畳まれる。
【００４８】
次に、添付の図８及び図９を参照して本発明の第５実施例によるフィルター装置（ガスフィルター）について説明する。
【００４９】
図８は、本発明の第５実施例によるフィルター装置を示した図である。
図８に示すように、本発明の第５実施例によるガスフィルター６００は、ガス貯蔵容器１００の開口部１１０に気密に装着可能な固定リング６１０と、この固定リング６１０に一体に連結された異物除去用メッシュ網６２０とからなる。
【００５０】
固定リング６１０は、開口部１１０の段差部１１２に定着されたとき、天然ガスが流通することができるように、中央部が開口したリングを持つ。
【００５１】
そして、メッシュ網６２０は固定リング６１０の一端に一体に連結され、一側が開放された内部空間を有し、天然ガスに含まれた（混合された）異物を濾過するために全体的に複数の濾過孔を持つ。
【００５２】
ガス貯蔵容器１００は、固定リング６１０が挿着された開口部１１０に多機能バルブの連結部１３０が固定リング６１０に近接して位置するように組み立てられることで、固定リング６１０が開口部１１０から抜け出ることを防止する。
【００５３】
図９は、本発明の第５実施例によるフィルター装置をガス貯蔵容器に設置する過程を示した図である。
ここで、ガスフィルター６００の設置方法を図９に基づいて説明すれば次のようである。
【００５４】
図９（ａ）に示すように、先ずガス貯蔵容器１００の内部に、天然ガスを加圧して貯蔵した吸着剤を投入して充填し、次いで図９（ｂ）に示すように、メッシュ網６２０をガス貯蔵容器１００内に挿入して、図９（ｃ）に示すように、ガス貯蔵容器１００内に充填された吸着剤を圧縮する。
【００５５】
この際、メッシュ網６２０は、固定リング６１０が開口部１１０の段差部１１２にかかって気密に組み立てられるまで、ガス貯蔵容器１００内に強制的に挿入され、ガス貯蔵容器１００内に強制的に挿入される過程で吸着剤が互いに密着して圧縮されるようにすることにより、吸着剤の流動を防止することができる。
【００５６】
そして、図９（ｃ）に示すように、開口部１１０の端部に多機能バルブの連結部１３０を螺合方式で組み立て、連結部１３０が固定リング６１０に近接して位置することにより、ガスフィルター６００がガス貯蔵容器１００内に挿着された状態で固定支持される。
【００５７】
次に、添付の図１０〜図１６を参照して、本発明の第６実施例によるフィルター装置（ガスフィルター）について説明する。
【００５８】
図１０は、本発明の第６実施例によるフィルター装置を示した切開斜視図である。
図１０に示すように、本発明の第６実施例によるガスフィルター７００は、開口部１１０を持つ密閉型のガス貯蔵容器１００に挿着されるフィルター装置であって、アウターボディー７１０、インナーボディー７２０及びメッシュ網７３０を含んで成る。
【００５９】
アウターボディー７１０は、ガス貯蔵容器１００の開口部１１０を通過することができる直径を持つ中空状円筒形の部材であって、その一端部に、開口部１１０に気密に係止されて定着される係止部７１２を持つ。
【００６０】
インナーボディー７２０は中空状円筒形に形成され、アウターボディー７１０の内側に挿入される形態、又は外側に嵌合された形態であって、直線移動可能に組み立てられる。
アウターボディー７１０とインナーボディー７２０との間にメッシュ網７３０、弾性部材７４０、及びサポートリンク７５０が装着される。
【００６１】
メッシュ網７３０は、ガス燃料に混合した異物を濾過して除去するためのものであって、アウターボディー７１０の他端部とインナーボディー７２０の他端部との間に気密に付着され、開口部１１０を通じてガス貯蔵容器１００の内外を移動するガス燃料はメッシュ網７３０を必ず通過するように配設される。
【００６２】
アウターボディー７１０内にインナーボディー７２０が挿入された状態で弾性部材７４０が収縮復元すると、アウターボディー７１０の他端から突出したインナーボディー７２０の他端部にメッシュ網７３０が展開され、メッシュ網７３０を通過したガス燃料が通過することができる複数の貫通孔７２２が形成される。
【００６３】
図１１は、図１０のフィルター装置が強制的に伸張された状態を示した切開斜視図である。
図１１に示すように、弾性部材７４０は、インナーボディー７２０の下端部外周面に嵌合された状態でアウターボディー７１０の他端部とインナーボディー７２０の他端部（具体的に、段差部）との間に強制的に伸張されて復元可能に装着され、インナーボディー７２０がアウターボディー７１０の外側に突出可能なように（又は長手方向に伸びるように）弾性復元力を保存する。
【００６４】
サポートリンク７５０はその中央部が折曲／折畳可能に形成されたもので、メッシュ網７３０の内側に位置してアウターボディー７１０の他端部とインナーボディー７２０の他端部との間に連結装着され、外力によってインナーボディー７２０がアウターボディー７１０の外側に突出するように伸張されたときには直線状に伸張される。前記外力が除去されてインナーボディー７２０が復帰するときに中央部が外方に折り曲げられる。この際、内側にメッシュ網７３０を折畳なしにぴんと広げることになる。
【００６５】
ここで、前記サポートリンク７５０はその両端部がそれぞれアウターボディー７１０及びインナーボディー７２０に旋回可能に連結されている。
【００６６】
図１２〜図１５は、本発明の第６実施例によるフィルター装置をガス貯蔵容器に設置する過程を示した図である。
このようなガスフィルター７００の設置方法を添付の図１２〜図１５を参照して説明すれば次のようである。
【００６７】
先ず、図１２及び図１３に示すように、ガスフィルター７００をガス貯蔵容器１００に挿入して組み立てる前に、ガス貯蔵容器１００内に吸着剤を充填した後、前述したような構造のガスフィルター７００を準備し、手作業でガスフィルター７００のインナーボディー７２０をアウターボディー７１０の外側に（一側に）突出するように引っぱって伸張させた状態でガス貯蔵容器１００の開口部１１０に挿入する。
【００６８】
この際、インナーボディー７２０をアウターボディー７１０の外側に移動させる過程で、弾性部材７４０が強制的に伸張されて復元力を保存し、サポートリンク７５０は直線状に伸張される。
【００６９】
即ち、サポートリンク７５０を直線状に展開し弾性部材７４０を強制的に引き伸ばした状態で、インナーボディー７２０をガス貯蔵容器１００の開口部１１０内に挿入する。
【００７０】
この際、弾性部材７４０は、サポートリンク７５０が開口部１１０を完全に通過するまで引き伸ばされた状態を維持し、図１４に示すように、サポートリンク７５０が開口部１１０を完全に通過してガス貯蔵容器１００の内側に位置するようになれば、弾性復元力によって復元しながらインナーボディー７２０をアウターボディー７１０の内側に移動させる。
【００７１】
インナーボディー７２０がアウターボディー７１０の内側に移動して復帰し、サポートリンク７５０は外側に折り曲げられる形態に復元するとともにメッシュ網７３０をぴんと広げることになる。
【００７２】
換言すれば、図１４に示すように、インナーボディー７２０が開口部１１０を完全に通過してガス貯蔵容器１００の内側に位置するとともにサポートリンク７５０によってメッシュ網７３０が折畳なしに拡張されるようになる。
【００７３】
引き続き、アウターボディー７１０の係止部７１２が開口部１１０に気密に係止されて装着されるまでアウターボディー７１０をガス貯蔵容器１００内に強制的に挿入する。
【００７４】
このように、ガスフィルター７００をガス貯蔵容器１００内に強制的に挿入して装着する過程で、ガス貯蔵容器１００内に充填された吸着剤が互いに密着しながら圧縮される。
【００７５】
次いで、図１５に示すように、開口部１１０の端部に多機能バルブの連結部１３０を螺合方式で組み立て、連結部１３０が係止部７１２に近接して位置することで、ガスフィルター７００がガス貯蔵容器１００内に挿着された状態で固定されるようにアウターボディー７１０を支持する。
【００７６】
このように、ガス貯蔵容器１００内に一体に装着されたガスフィルター７００は、図１６に示すように、ガス貯蔵容器１００の内外に出入するガス燃料が必ずメッシュ網７３０を通過して出入することになり、メッシュ網７３０を通過しながらフィルタリングされる。
【００７７】
以上、本発明の実施例を詳細に説明したが、本発明の権利範囲は前述した実施例に限定されなく、下記の特許請求範囲によって定義される本発明の基本概念を用いた当業者の多くの変形及び改良も本発明の権利範囲に含まれる。
【符号の説明】
【００７８】
１００    ガス貯蔵容器
１１０    開口部  ２００、３００、４００、５００    ガスフィルター
２１０、３１０、４１０、５１０    フィルターケース
２１２、３１２、４１２、５１２    係止部
２１４、３１４、４１４、５１４    折畳部
２１６、３１６、４１６、５１６    通孔
２２０、３２０、４２０、５２０    フィルター本体
６００    ガスフィルター
６１０    固定リング
６２０    メッシュ網
７００    ガスフィルター
７１０    アウターボディー
７１２    係止部
７２０    インナーボディー
７２２    貫通孔
７３０    メッシュ網
７４０    弾性部材
７５０    サポートリンク
【図１】
0006670095.tif 000002
【図２】
0006670095.tif 000003
【図３】
0006670095.tif 000004
【図４】
0006670095.tif 000005
【図５】
0006670095.tif 000006
【図６】
0006670095.tif 000007
【図７】
0006670095.tif 000008
【図８】
0006670095.tif 000009
【図９】
0006670095.tif 000010
【図１０】
0006670095.tif 000011
【図１１】
0006670095.tif 000012
【図１２】
0006670095.tif 000013
【図１３】
0006670095.tif 000014
【図１４】
0006670095.tif 000015
【図１５】
0006670095.tif 000016
【図１６】
0006670095.tif 000017